(57)【要約】【課題】ドローン（小型無人航空機）用の軽く高強度な飛行安全フレームを提供する。【解決手段】ドローン（Ａ）のプロペラ（１３）を横方向から全体的に包囲する包囲枠（Ｅ）と、ドローンにおける機体（１０）の放射方向へ張り出すアーム（１１）の先端部と接近するように、上記包囲枠の途中へ部分的な橋渡し状態に横架された複数本のクロスビーム（１７）とを備え、上記包囲枠とクロスビームが炭素繊維強化プラスチック材の直管（Ｓｍ）又は／及び曲管（Ｃｍ）から成り、上記クロスビームの途中がドローンにおける機体の放射方向へ張り出すアームの先端部へ、着脱自在に取り付け使用されるように関係設定した。【選択図】図１
2019099087.tif 000002
【特許請求の範囲】
【請求項１】
ドローンのプロペラを横方向から全体的に包囲する包囲枠と、ドローンにおける機体の放射方向へ張り出すアームの先端部と接近するように、上記包囲枠の途中へ部分的な橋渡し状態に横架された複数本の水平なクロスビームとを備え、
上記包囲枠とクロスビームが炭素繊維強化プラスチック材やガラス繊維強化プラスチック材、その両繊維強化プラスチックのハイブリッド材、その他の繊維強化プラスチック材の直管又は／及び曲管から成り、
その上記クロスビームの途中がドローンにおける機体の放射方向へ張り出すアームの先端部又はその先端部に存在するプロペラ回転駆動モーター用カバーケースへ、着脱自在に取り付け使用されるように関係設定したことを特徴とするドローン用飛行安全フレーム。
【請求項２】
包囲枠を横方向から見て水平な一段として、プロペラの回転平面とほぼ同じ設置高さに保つと共に、
その包囲枠の途中へ両端部が取り付けられたクロスビームをプロペラと干渉しないように、その包囲枠から上方又は下方へ退避する高さ位置に横架させたことを特徴とする請求項１記載のドローン用飛行安全フレーム。
【請求項３】
ドローンを上方から覆う屋根枠を、平面視の全体的な放射対称型で且つ側面視のアーチ形に造形すると共に、
その屋根枠の下端部を包囲枠の途中へ組み付けたことを特徴とする請求項１記載のドローン用飛行安全フレーム。
【請求項４】
包囲枠とこれに組み付けられた屋根枠を骨組として、その全体へカバーネットを包囲状態に張り付けたことを特徴とする請求項３記載のドローン用飛行安全フレーム。
【請求項５】
包囲枠を横方向から見てほぼ平行な上下一対として、その何れも平面視の同じ円形又は各コーナー部が円弧状をなす平面視の同じ正多角形に造形すると共に、
その上段包囲枠と下段包囲枠との相互間を一定帯幅のフラットな壁面として、プロペラの回転領域を横方向から包囲したことを特徴とする請求項１記載のドローン用飛行安全フレーム。
【請求項６】
包囲枠を横方向から見てほぼ平行な上下一対として、その何れも平面視の同じ円形又は各コーナー部が円弧状をなす平面視の同じ正多角形に造形すると共に、
ドローンを上方から覆う屋根枠の下端部を、上段包囲枠のみの途中か又は上段包囲枠並びに下段包囲枠の途中へ組み付ける一方、
その上段包囲枠又は下段包囲枠の途中へ、複数本の水平なクロスビームを全体的な放射対称型として分布する橋渡し状態に組み付けたことを特徴とする請求項１記載のドローン用飛行安全フレーム。
【請求項７】
包囲枠を横方向から見てほぼ平行な上下一対として、その何れも平面視の同じ円形又は各コーナー部が円弧状をなす平面視の同じ正多角形に造形すると共に、
ドローンの接地脚に向かって張り出す支持脚の上端部を、上記下段包囲枠の途中へ組み付ける一方、
上記上段包囲枠又は下段包囲枠の途中へ、複数本の水平なクロスビームを全体的な放射対称型として分布する橋渡し状態に組み付けたこと特徴とする請求項１記載のドローン用飛行安全フレーム。
【請求項８】
包囲枠を繊維強化プラスチック材から成る複数本づつの直管と曲管とから、各コーナー部が円弧状をなす平面視の正多角形に組み立てると共に、
その包囲枠の各コーナー部へ管継手を介して橋渡し状態に固定横架された水平なクロスビームを、すべて上記直管から成る包囲枠用コーナー補強ブレースとして機能させたことを特徴とする請求項１記載のドローン用飛行安全フレーム。
【請求項９】
包囲枠を繊維強化プラスチック材から成る複数本の曲管のみから平面視の円形に組み立てると共に、
その包囲枠へ全体的な放射対称型に分布する橋渡し状態に固定横架された複数本の水平なクロスビームを、すべて上記直管から成る包囲枠用部分補強ブレースとして機能させたことを特徴とする請求項１記載のドローン用飛行安全フレーム。
【請求項１０】
ドローンにおける機体の放射方向へ張り出すアームの先端部又はその先端部に存在するプロペラの回転駆動モーター用カバーケースへ取り付けるための挟持クランプを、包囲枠用コーナー補強ブレース又は包囲枠用部分補強ブレースとして機能するクロスビームへ、各々摺動自在に差し込み套嵌させたことを特徴とする請求項８又は９記載のドローン用飛行安全フレーム。
【請求項１１】
請求項１に記載されたドローン用飛行安全フレームの組立方法であって、炭素繊維強化プラスチック材、ガラス繊維強化プラスチック材又はその両繊維強化プラスチックのハイブリッド材から成る長さが同じ複数本の直管と、同じく長さが同じ複数本の曲管とを用意して、
上記直管と曲管とを交互して、その端部同士の抜き差し自在に差し込み一本化することにより、各コーナー部が曲管での円弧状をなす平面視の正多角形な包囲枠に組み立てる一方、
上記直管を包囲枠の各コーナー補強ブレースになるクロスビームとして、ドローンにおける機体の放射方向へ張り出すアームの先端部又はその先端部に存在するプロペラ回転駆動モーター用カバーケースへの取り付け用となる別個な挟持クランプを、そのクロスビームの１本づつへ摺動自在に差し込み套嵌すると共に、
その各クロスビームの両端部を上記包囲枠の途中へ各々抜き差し可能な硬質プラスチック材の管継手を介して、そのクロスビームの全体的な放射対称型に分布する水平な橋渡し状態となるように取り付け固定することを特徴とするドローン用飛行安全フレームの組立方法。
【請求項１２】
包囲枠を形作る直管と、クロスビームになる直管とを互いに同じ長さとして、その長さだけを長短変化させることにより、その包囲枠における正多角形の大きさを大小調整することを特徴とする請求項１１記載のドローン用飛行安全フレームの組立方法。
【請求項１３】
請求項１に記載されたドローン用飛行安全フレームの組立方法であって、炭素繊維強化プラスチック材、ガラス繊維強化プラスチック材又はその両繊維強化プラスチックのハイブリッド材から成る長さが同じ複数本の直管と、同じく長さが同じ複数本の曲管とを用意して、
上記曲管の隣り合う端部同士を抜き差し自在に差し込み一本化することにより、平面視の円形な包囲枠に組み立てる一方、
上記直管を包囲枠の部分補強ブレースになるクロスビームとして、ドローンにおける機体の放射方向へ張り出すアームの先端部又はその先端部に存在するプロペラ回転駆動モーター用カバーケースへの取り付け用となる別個な挟持クランプを、そのクロスビームの１本づつへ摺動自在に差し込み套嵌すると共に、
その各クロスビームの両端部を上記包囲枠の途中へ各々抜き差し可能な硬質プラスチック材の管継手を介して、そのクロスビームの全体的な放射対称型に分布する水平な橋渡し状態となるように取り付け固定することを特徴とするドローン用飛行安全フレームの組立方法。
【請求項１４】
包囲枠を形作る曲管の長さと、クロスビームになる直管の長さとを各々長短変化させることにより、その包囲枠における円形の大きさを大小調整することを特徴とする請求項１３記載のドローン用飛行安全フレームの組立方法。
【発明の詳細な説明】
【技術分野】
【０００１】
本発明はドローン（小型無人航空機）への別個な付属品として、取り付け使用する飛行安全フレームとその量産性に富む組立方法に関する。
【背景技術】
【０００２】
現在、ドローンと称する小型無人航空機が個人の趣味として写真撮影などに利用されているだけでなく、インフラ設備の点検や地形の測量、農薬の散布、不審車の追跡、荷物の搬送（宅配）、徘廻者の捜索、各種情報の収集などに広く利用されつつある。
【０００３】
何れにしても、ドローンは例えば囲いネットから成る飛行練習場や体育館などの屋内を初め、イベント会場やその他屋外での飛行中において、そのコントロールミスにより墜落したり、上記囲いネットに絡らみ付いたり、建物や車両などの他物に衝突したりして、機体やこれから張り出すアーム、接地脚、特にプロペラが破損するおそれのほか、逆に他物を損傷したり、他人に危害を与えたりするおそれもあるため、その飛行中の安全を確保しなければならない。
【０００４】
このような問題の対策となるプロペラガードが、特許文献１、２に開示されている。
【先行技術文献】
【特許文献】
【０００５】
【特許文献１】意匠登録第１５６５５３７号公報
【特許文献２】意匠登録第１５５２３４６号公報
【特許文献３】特開２０１１−４６３５５号公報
【発明の概要】
【発明が解決しようとする課題】
【０００６】
ところが、特許文献１に記載のプロペラガードは平・底面（上下方向）から見て扇形の枠から成り、その円弧面によってプロペラの各個を横方向（円周方向）から部分的（バラバラ）に包囲する点在分布状態として、機体から放射方向へ張り出すアームの先端部又はその先端部に存在するプロペラ回転駆動モーター用カバーケースへ、その扇形の要部が取り付けられているに過ぎない。
【０００７】
つまり、そのプロペラガードは複数個のプロペラを全体的に包囲する大きな１個の連続一体品ではないため、ドローンの飛行中に風の影響を受けて、その各個がバラバラに振れ（揺れ）動いたり、撓み変形したりしやすく、取付状態の安定と延いては飛行姿勢の均衡を保つことができない。
【０００８】
また、特許文献１にプロペラガードの材質やその取付方法は記載されていないが、その扇形の枠が仮りにアルミニウムやその他の非鉄金属から成るとすれば、その軽量であるとしても金属のため、ドローンの重量をいたずらに増すこととなり、その飛行に致命的な制約を与える。
【０００９】
他方、特許文献２に記載のプロペラガードは複数個のプロペラを全体的に包囲する１個の連続一体品であるため、特許文献１の上記プロペラガードのような各個の振れ（揺れ）動きや撓み変形は相当抑制されると言える。
【００１０】
しかし、特許文献２にもプロペラガードの材質やその取付方法は記載されていないが、これの材質を汎用樹脂又はエンジニアリングプラスチックであると仮定して言えば、そのプロペラガードはこのような材質からの一体成形品であると考えられるため、その成形金型が必要となり、万一破損したような場合、そのプロペラガードの全体を新品と交換しなければならず、梱包・輸送上の小型コンパクト化や量産効果に劣る。
【００１１】
尚、特許文献３には機体（２）から放射状に張り出すアーム（５）を、その先端部において連結した円形のフレーム（８）が開示されているが、これは飛行体（１）自身の構成部材であって、しかもアルミニウムのパイプから成り、その飛行体（１）への別個な付属品として着脱自在に取り付け（後付け）使用されるものではない。
【課題を解決するための手段】
【００１２】
本発明はこのような課題の抜本的な解決を目的としており、その目的を達成するために、請求項１ではドローンのプロペラを横方向から全体的に包囲する包囲枠と、ドローンにおける機体の放射方向へ張り出すアームの先端部と接近するように、上記包囲枠の途中へ部分的な橋渡し状態に横架された複数本の水平なクロスビームとを備え、
【００１３】
上記包囲枠とクロスビームが炭素繊維強化プラスチック材やガラス繊維強化プラスチック材、その両繊維強化プラスチックのハイブリッド材、その他の繊維強化プラスチック材の直管又は／及び曲管から成り、
【００１４】
その上記クロスビームの途中がドローンにおける機体の放射方向へ張り出すアームの先端部又はその先端部に存在するプロペラ回転駆動モーター用カバーケースへ、着脱自在に取り付け使用されるように関係設定したことを特徴とする。
【００１５】
また、請求項２では包囲枠を横方向から見て水平な一段として、プロペラの回転平面とほぼ同じ設置高さに保つと共に、
【００１６】
その包囲枠の途中へ両端部が取り付けられたクロスビームをプロペラと干渉しないように、その包囲枠から上方又は下方へ退避する高さ位置に横架させたことを特徴とする。
【００１７】
請求項３ではドローンを上方から覆う屋根枠を、平面視の全体的な放射対称型で且つ側面視のアーチ形に造形すると共に、
【００１８】
その屋根枠の下端部を包囲枠の途中へ組み付けたことを特徴とする。
【００１９】
請求項４では包囲枠とこれに組み付けられた屋根枠を骨組として、その全体へカバーネットを包囲状態に張り付けたことを特徴とする。
【００２０】
請求項５では包囲枠を横方向から見てほぼ平行な上下一対として、その何れも平面視の同じ円形又は各コーナー部が円弧状をなす平面視の同じ正多角形に造形すると共に、
【００２１】
その上段包囲枠と下段包囲枠との相互間を一定帯幅のフラットな壁面として、プロペラの回転領域を横方向から包囲したことを特徴とする。
【００２２】
請求項６では包囲枠を横方向から見てほぼ平行な上下一対として、その何れも平面視の同じ円形又は各コーナー部が円弧状をなす平面視の同じ正多角形に造形すると共に、
【００２３】
ドローンを上方から覆う屋根枠の下端部を、上段包囲枠のみの途中か又は上段包囲枠並びに下段包囲枠の途中へ組み付ける一方、
【００２４】
その上段包囲枠又は下段包囲枠の途中へ、複数本の水平なクロスビームを全体的な放射対称型として分布する橋渡し状態に組み付けたことを特徴とする。
【００２５】
請求項７では包囲枠を横方向から見てほぼ平行な上下一対として、その何れも平面視の同じ円形又は各コーナー部が円弧状をなす平面視の同じ正多角形に造形すると共に、
【００２６】
ドローンの接地脚に向かって張り出す支持脚の上端部を、上記下段包囲枠の途中へ組み付ける一方、
【００２７】
上記上段包囲枠又は下段包囲枠の途中へ、複数本の水平なクロスビームを全体的な放射対称型として分布する橋渡し状態に組み付けたこと特徴とする。
【００２８】
請求項８では包囲枠を繊維強化プラスチック材から成る複数本づつの直管と曲管とから、各コーナー部が円弧状をなす平面視の正多角形に組み立てると共に、
【００２９】
その包囲枠の各コーナー部へ管継手を介して橋渡し状態に固定横架された水平なクロスビームを、すべて上記直管から成る包囲枠用コーナー補強ブレースとして機能させたことを特徴とする。
【００３０】
請求項９では包囲枠を繊維強化プラスチック材から成る複数本の曲管のみから平面視の円形に組み立てると共に、
【００３１】
その包囲枠へ全体的な放射対称型に分布する橋渡し状態に固定横架された複数本の水平なクロスビームを、すべて上記直管から成る包囲枠用部分補強ブレースとして機能させたことを特徴とする。
【００３２】
更に、請求項１０ではドローンにおける機体の放射方向へ張り出すアームの先端部又はその先端部に存在するプロペラの回転駆動モーター用カバーケースへ取り付けるための挟持クランプを、包囲枠用コーナー補強ブレース又は包囲枠用部分補強ブレースとして機能するクロスビームへ、各々摺動自在に差し込み套嵌させたことを特徴とする。
【００３３】
他方、請求項１１では請求項１に記載されたドローン用飛行安全フレームの組立方法であって、炭素繊維強化プラスチック材、ガラス繊維強化プラスチック材又はその両繊維強化プラスチックのハイブリッド材から成る長さが同じ複数本の直管と、同じく長さが同じ複数本の曲管とを用意し、
【００３４】
上記直管と曲管とを交互して、その端部同士の抜き差し自在に差し込み一本化することにより、各コーナー部が曲管での円弧状をなす平面視の正多角形な包囲枠に組み立てる一方、
【００３５】
上記直管を包囲枠の各コーナー補強ブレースになるクロスビームとして、ドローンにおける機体の放射方向へ張り出すアームの先端部又はその先端部に存在するプロペラ回転駆動モーター用カバーケースへの取り付け用となる別個な挟持クランプを、そのクロスビームの１本づつへ摺動自在に差し込み套嵌すると共に、
【００３６】
その各クロスビームの両端部を上記包囲枠の途中へ各々抜き差し可能な硬質プラスチック材の管継手を介して、そのクロスビームの全体的な放射対称型に分布する水平な橋渡し状態となるように取り付け固定することを特徴とする。
【００３７】
請求項１２では包囲枠を形作る直管と、クロスビームになる直管とを互いに同じ長さとして、その長さだけを長短変化させることにより、その包囲枠における正多角形の大きさを大小調整することを特徴とする。
【００３８】
請求項１３では同じく請求項１に記載されたドローン用飛行安全フレームの組立方法であって、炭素繊維強化プラスチック材、ガラス繊維強化プラスチック材又はその両繊維強化プラスチックのハイブリッド材から成る長さが同じ複数本の直管と、同じく長さが同じ複数本の曲管とを用意し、
【００３９】
上記曲管の隣り合う端部同士を抜き差し自在に差し込み一本化することにより、平面視の円形な包囲枠に組み立てる一方、
【００４０】
上記直管を包囲枠の部分補強ブレースになるクロスビームとして、ドローンにおける機体の放射方向へ張り出すアームの先端部又はその先端部に存在するプロペラ回転駆動モーター用カバーケースへの取り付け用となる別個な挟持クランプを、そのクロスビームの１本づつへ摺動自在に差し込み套嵌すると共に、
【００４１】
その各クロスビームの両端部を上記包囲枠の途中へ各々抜き差し可能な硬質プラスチック材の管継手を介して、そのクロスビームの全体的な放射対称型に分布する水平な橋渡し状態となるように取り付け固定することを特徴とする。
【００４２】
更に、請求項１４では包囲枠を形作る曲管の長さと、クロスビームになる直管の長さとを各々長短変化させることにより、その包囲枠における円形の大きさを大小調整することを特徴とする。
【発明の効果】
【００４３】
請求項１の構成によれば、冒頭に述べた従来技術の課題をすべて解決できる効果がある。つまり、ドローンのプロペラをその全体よりも大きな包囲枠によって、横方向から包囲しているため、そのプロペラが建物の壁面や車両などの他物に衝突して破損したり、飛行練習場の囲いネットに絡らみ付いたり、逆にその他物を損傷したり、他人に危険を与えたりするおそれがなく、飛行上の防護効果（安全性）を確保することができる。
【００４４】
また、飛行安全フレームを形作っている上記包囲枠とクロスビームは、そのすべて軽く高強度な炭素繊維強化プラスチック材やガラス繊維強化プラスチック材などの繊維強化プラスチック材の、しかも直管と曲管から成るものであるため、ドローンの飛行上いたずらに重い負荷や大きな空気抵抗を与えることがなく、円滑に長時間飛行させることができる。
【００４５】
更に、複数本のクロスビームが包囲枠の途中へ橋渡し状態に横架されているため、これを包囲枠の部分補強ブレースとして、飛行安全フレームの優れた組立強度を得られる。
【００４６】
しかも、各クロスビームの途中はドローンの機体から放射方向へ張り出すアームの先端部又はその先端部に存在するプロペラ回転駆動モーター用カバーケースへ、そのアームの個数分に相当する複数個所での点在分布状態に取り付け固定されるようになっているため、そのドローンへ着脱自在に取り付け（後付け）使用される飛行安全フレームであるにも拘らず、その全体として安定・確固な取付状態を得られ、風の影響を受けて振れ（揺れ）動いたり、まして撓み変形したりするおそれがなく、その意味でもドローンをバランス良く飛行させることができるのである。
【００４７】
特に、請求項２の構成を採用するならば、包囲枠が側面視の水平な一段として、ドローンにおけるプロペラの回転平面とほぼ同じ設置高さに保たれているため、請求項１の上記防護効果（安全性）をますます昂めることができ、しかもその包囲枠から上方又は下方へクロスビームが退避されているため、そのクロスビームとプロペラとの干渉するおそれはない。
【００４８】
請求項３の構成を採用するならば、ドローンのプロペラのみならず、その機体やこれから張り出すアームも含む全体を、上方から屋根枠によって被覆することができるため、請求項１の上記防護効果（安全性）がますます向上するほか、その包囲枠に対する屋根枠の組み付けにより、飛行安全フレームとしての組立強度も向上する。
【００４９】
その場合、請求項４の構成を採用するならば、その骨組に張り付けられたカバーネットによって、いたずらに重量を増すことなく、手指がドローンの高速回転するプロペラに触れる危険を予防できる効果がある。
【００５０】
また、請求項５の構成を採用するならば、上段包囲枠と下段包囲枠との相互間が一定帯幅のフラットな壁面として、プロペラの回転領域を横方向から広幅に包囲するため、請求項１の上記防護効果（安全性）をますます昂めることができるほか、その一定帯幅のフラットな壁面が他物と衝突したとしても、飛行安全フレームと延いてはドローンの傾斜姿勢になることを防止し得る効果もある。
【００５１】
請求項６の構成を採用するならば、上段包囲枠のみか又は上段包囲枠並びに下段包囲枠と、屋根枠の下端部とが言わば立体交叉状態に組み付けられており、しかもその上段包囲枠又は下段包囲枠の途中には複数本のクロスビームが、平面視の全体的な放射対称型として分布する橋渡し状態に組み付けられているため、飛行中に振れ（揺れ）動いたり、撓み変形したりするおそれがなく、その飛行安全フレームとしての組立強度と安定性がますます向上する。
【００５２】
請求項７の構成を採用するならば、上段包囲枠又は下段包囲枠への橋渡し状態に横架するクロスビームの途中を、ドローンの機体から放射方向へ張り出すアームの先端部又はその先端部に存在するプロペラ回転駆動モーター用カバーケースへ、その複数個所での点在分布状態に取り付け固定するほか、下段包囲枠に上端部が組み付けられた支持脚の下端部（張り出し先端部）を、ドローンの接地脚へ取り付け固定することにより、そのドローンに対する飛行安全フレームの取付状態をますます強固に安定良く保てる効果がある。
【００５３】
更に、請求項８や請求項９の構成を採用するならば、上記包囲枠を軽く高強度な繊維強化プラスチック材から成る直管と曲管との複数本づつや、同じく曲管のみの複数本から組み立て乍らも、その包囲枠へ管継手により橋渡し状態に固定横架された水平なクロスビームを補強ブレースとして、その組立強度と安定性を容易に確保できる効果がある。
【００５４】
その場合、請求項１０の構成を採用するならば、その放射アーム用又はカバーケース用の挟持クランプをクロスビームに沿い摺動させることによって、そのドローンの機体から張り出すアームの先端部へ正確に位置決め調整することができ、そのアームの先端部又はここに存在するプロペラ回転駆動モーター用カバーケースへ、上記挟持クランプによって確実に取り付け固定し得る効果がある。
【００５５】
請求項１１や請求項１３の構成によれば、その何れも炭素繊維強化プラスチック材、ガラス繊維強化プラスチック材又はその両繊維強化プラスチックのハイブリッド材から成る長さが同じ複数本の直管と、同じく長さが同じ複数本の曲管とを用意した上、請求項１１の組立方法ではその直管と曲管とを交互して、その端部同士の抜き差し自在に差し込み一本化することにより、各コーナー部が曲管での円弧状をなす平面視の正多角形な包囲枠に組み立てており、他方請求項１３の組立方法ではその曲管の隣り合う端部同士を抜き差し自在に差し込み一本化することにより、平面視の円形な包囲枠に組み立てている。
【００５６】
そして、請求項１１と請求項１３との何れにおいても、上記直管を包囲枠の部分的な補強ブレースになるクロスビームとして、その１本づつへドローンの放射アーム用又はカバーケース用挟持クランプを摺動自在に差し込み套嵌すると共に、その各クロスビームの両端部を硬質なプラスチック材の管継手を介して、上記包囲枠の途中へ平面視の全体的な放射対称型に分布する水平な橋渡し状態に取り付け固定するようになっている。
【００５７】
そのため、軽く高強度な材料の直管と曲管や、その曲管同士を抜き差し自在に差し込み一本化することにより、飛行安全フレームの包囲枠を容易に組み立てることができ、またその包囲枠へ１本づつの直管から成るクロスビームを、容易に正しく組み付けることができるのである。
【００５８】
更に、上記差し込み状態にある直管と曲管や、その曲管同士を抜き取ることにより、その飛行安全フレームを分解した状態として、小型コンパントに梱包・輸送することができ、また飛行安全フレームが破損したような場合、その破損した部位の直管や曲管だけを新品と取り替えれば良く、飛行安全フレームの全体を新品と交換する必要がないので、使用上の利便性や量産性に優れる。
【００５９】
その場合、特に請求項１２や請求項１４の構成を採用するならば、その曲管の長さだけを長短変化させることにより、平面視の正多角形に組み立てられた包囲枠の大きさを大きく又は小さく調整することや、直管の長さと曲管の長さとを長短変化させることにより、平面視の円形に組み立てられた包囲枠の大きさを大きく又は小さく調整することが可能となり、ドローンの大きさ変化に便利良く対応できる効果がある。
【図面の簡単な説明】
【００６０】
【図１】本発明の第１実施形態に係るドローン用飛行安全フレームの使用状態を示す平面図である。
【図２】図１の正面図である。
【図３】ドローンを抽出して示す平面図である。
【図４】図３の正面図である。
【図５】図４の側面図である。
【図６】プロペラがアームの下面に設置されたタイプのドローンを示す図２に対応する正面図である。
【図７】直管を抽出して示す正面図である。
【図８】曲管を抽出して示す正面図である。
【図９】直管と曲管とを差し込み一本化した連結状態の部分拡大断面図である。
【図１０】包囲枠が円形に組み立てられた飛行安全フレームを示す図１に対応する平面図である。
【図１１】左右一対の特殊な第１三方管継手を抽出して示す斜面図である。
【図１２】図６のドローンに飛行安全フレームを取り付けた状態の図２に対応する正面図である。
【図１３】放射アーム用挟持クランプを抽出して示す斜面図である。
【図１４】放射アーム用挟持クランプをドローンにおける放射アームの先端部へ挟み付け固定した状態の部分拡大図である。
【図１５】図１４の１５−１５線断面図である。
【図１６】本発明の第２実施形態に係る飛行安全フレームを示す図２に対応する正面図である。
【図１７】図１６の平面図である。
【図１８】第１四方（十文字型）管継手を抽出して示す斜面図である。
【図１９】第２三方（Ｔ字形）管継手を抽出して示す斜面図である。
【図２０】図１６の飛行安全フレームにカバーネットを張り付けた状態の正面図である。
【図２１】本発明の第３実施形態に係る飛行安全フレームを示す正面図である。
【図２２】スペーサーを抽出して示す斜面図である。
【図２３】第３三方管継手を抽出して示す斜面図である。
【図２４】本発明の第４実施形態に係る飛行安全フレームを示す正面図である。
【図２５】図２４の平面図である。
【図２６】本発明の第５実施形態に係る飛行安全フレームを示す正面図である。
【図２７】図２６の平面図である。
【図２８】左右一対の特殊な第２四方管継手を抽出して示す斜面図である。
【図２９】接地脚用挟持クランプを抽出して示す斜面図である。
【図３０】接地脚用挟持クランプをドローンの接地脚へ挟み付け固定した状態の部分拡大図である。
【図３１】図３０の３１−３１線断面図である。
【発明を実施するための形態】
【００６１】
以下、図面に基いて本発明の実施形態を説明すると、図１、２はその第１実施形態に係るドローン用飛行安全フレーム（Ｆ）を、ドローン（小型無人航空機）（Ａ）へ取り付けた使用状態を示している。
【００６２】
そのドローン（Ａ）は図３〜５に例示するように機体（ボディ）（１０）と、その機体（１０）から横方向へ全体的な放射対称型に張り出す複数（図例では４本）のアーム（１１）と、同じく機体（１０）から下方へ張り出す複数の接地脚（スタンド）（１２）と、各アーム（１１）の先端部に軸支されたプロペラ（ローターブレード）（１３）とを備えており、その各プロペラ（１３）の回転駆動源であるモーター（図示省略）が、上記アーム（１１）の先端部へ固定設置されたカバーケース（１４）による被覆状態にある。
【００６３】
図例の場合、ドローン（Ａ）の接地脚（１２）は側面視のほぼＵ字形をなす向かい合う一対として並列設置されているが、その安定な接地状態に保てる限り、その形状や本数に限定はない。例えば、単純な棒状をなす接地脚（１２）の少なくとも３本が点在分布状態に設置されたり、リング状をなす接地脚（１２）の１本が設置されたりすることもある。
【００６４】
また、図例の各プロペラ（１３）は上記アーム（１１）の上面に設置されているが、図４と対比する図６から明白なように、そのアーム（１１）の逆な下面に設置されることもある。（Ｘ−Ｘ）は上記プロペラ（１３）の全体的な回転平面を示しているが、ドローン（Ａ）の機体（１０）に搭載される監視カメラやＬＥＤライト、その他の各種付属機器は、図示省略してある。
【００６５】
上記ドローン用飛行安全フレーム（Ｆ）は炭素繊維強化プラスチック（ＣＦＲＰ）材やガラス繊維強化プラスチック（ＧＦＲＰ）材、その両繊維強化プラスチックのハイブリッド材、その他の各種繊維強化プラスチック（ＦＲＰ）材、特に好ましくは最も軽く高強度な炭素繊維強化プラスチック材から成る太さ（例えば外径：約８mm、内径：６mm）が互いに同じ直管（Ｓｍ）と曲管（Ｃｍ）との複数本づつを用いて、図１、２のようなドローン（Ａ）のプロペラ（１３）を横方向から全体的に包囲できる大きさに組み立てられている。
【００６６】
その組立方法としては図７〜９に抽出して示す如く、上記曲管（Ｃｍ）の両端部に予じめ細い差込み継手管（１５）を接着一体化しておき、その曲管（Ｃｍ）の端部から突出する差込み継手管（１５）を直管（Ｓｍ）の端部へ、抜き差し自在に差し込み一本化することが望ましい。（１６）はその曲管（Ｃｍ）側の差込み継手管（１５）と、直管（Ｓｍ）との連結部（差し込み嵌合部）を貫通する抜け止めピン（ロールピン／ノックピン）であり、これを抜き取ることによって、上記曲管（Ｃｍ）と直管（Ｓｍ）との連結状態を解くことができる。
【００６７】
このような組立方法を採用するならば、同じ長さ（Ｌ２）（例えば約１８８mm）の曲管（Ｃｍ）を使い、直管（Ｓｍ）の長さ（Ｌ１）（例えば約２２７mm）だけを長短変化させて、その直管（Ｓｍ）と曲管（Ｃｍ）とを抜き差し自在に差し込み一本化することにより、ドローン（Ａ）の大きさ変化に応じて、その飛行安全フレーム（Ｆ）の大きさを容易に大小調整することができ、また上記差込み継手管（１５）が突出しない直管（Ｓｍ）を、後述する包囲枠や屋根枠のほか、その包囲枠のコーナー補強ブレースになるクロスビームや支持脚としても兼用し得るため、量産性の向上に役立つ。
【００６８】
上記ドローン用飛行安全フレーム（Ｆ）の組立状態を図１〜９に基いて詳述すると、（Ｅ）はその飛行安全フレーム（Ｆ）におけるドローン（Ａ）のプロペラ（１３）を横方向（周縁方向）から全体的に包囲する包囲枠であって、上記直管（Ｓｍ）と曲管（Ｃｍ）との複数本づつ（図例では４本づつ）から、その各直管（Ｓｍ）と各曲管（Ｃｍ）との上記差し込み一本化により、各コーナー部が曲管（Ｃｍ）での円弧状をなす平面視の正多角形（図例では正方形）に組み立てられている。
【００６９】
その場合、長さ（Ｌ１）がすべて同じ直管（Ｓｍ）の複数本と、長さ（Ｌ２）がすべて同じ曲管（Ｃｍ）の複数本とを採用することが好ましい。
【００７０】
但し、図１と対応する図１０の変形実施形態に示す如く、上記包囲枠（Ｅ）を複数本（図では８本）の曲管（Ｃｍ）のみから、平面視の円形（リング状）に組み立てても良く、その場合も長さ（Ｌ２）がすべて同じ曲管（Ｃｍ）の複数本を採用することが好ましい。その曲管（Ｃｍ）の長さ（Ｌ２）を長短変化させることによって、やはり飛行安全フレーム（Ｆ）の大きさを大小調整することができる。
【００７１】
また、その変形実施形態では曲管（Ｃｍ）の一端部だけに図８のような上記細い差込み継手管（１５）を、予じめ突出する状態に接着一体化しておき、残る他端部は上記した直管（Ｓｍ）と同様にそのままの放置状態として、その曲管（Ｃｍ）同士を抜き差し自在に差し込み一本化すれば良い。
【００７２】
上記第１実施形態とその図１０に示した変形実施形態との何れにあっても、その包囲枠（Ｅ）は側面視の水平な一段として、上記プロペラ（１３）の回転平面（Ｘ−Ｘ）とほぼ同じ設置高さに保たれ、そのプロペラ（１３）を横方向（周縁方向）から被覆（防護）するようになっている。
【００７３】
（１７）は上記ドローン（Ａ）における機体（１０）の放射方向へ張り出すアーム（１１）の先端部と接近するように、上記包囲枠（Ｅ）の各コーナー部へ橋渡し状態に横架された水平なクロスビーム（梁）であって、１本の直管（Ｓｍ）から成り、その両端部が左右一対づつの特殊な第１三方管継手（１８Ｌ）（１８Ｒ）を介して、包囲枠（Ｅ）の途中に組み付けられている。そのため、クロスビーム（１７）は上記包囲枠（Ｅ）のコーナー補強ブレースとしても機能し、その複数本（図例では４本）が平面視の全体的な放射対称型に分布することとなる。
【００７４】
各クロスビーム（１７）の両端部を包囲枠（Ｅ）へ組み付ける左右一対（左勝手用と右勝手用）の特殊な第１三方管継手（１８Ｌ）（１８Ｒ）は、図１１（イ）（ロ）に抽出して示す如く、水平な包囲枠用差込み継手管部（１９）（１９）と同じく水平なクロスビーム用差込み継手管部（２０）（２０）とが平面視のほぼレ字形又はイ字形に交叉し、しかもその差込み継手管部（１９）（１９）（２０）（２０）同士が一定の上下相互間隔距離（Ｈ）を保って平行する異なる設置平面にある。
【００７５】
この点、図１、２では上記プロペラ（１３）の回転平面（Ｘ−Ｘ）とほぼ同じ設置高さにある水平な包囲枠（Ｅ）へ、その第１三方管継手（１８Ｌ）（１８Ｒ）の包囲枠用差込み継手管部（１９）（１９）を通し込むと共に、その包囲枠（Ｅ）よりも一定の上下相互間隔距離（Ｈ）だけ低い位置にある水平なクロスビーム（１７）の両端部へ、同じく第１三方管継手（１８Ｌ）（１８Ｒ）のクロスビーム用差込み継手管部（２０）（２０）を差し込み套嵌している。これによって、クロスビーム（１７）をドローン（Ａ）のプロペラ（１３）と干渉しないように、そのプロペラ（１３）の回転平面（Ｘ−Ｘ）から下方へ退避させているのである。
【００７６】
但し、図２と対応する図１２の変形実施形態から明白なように、機体（１０）から張り出すアーム（１１）の下面にプロペラ（１３）が設置されるタイプのドローン（Ａ）では、上記第１三方管継手（１８Ｌ）（１８Ｒ）を言わば上下の反転状態に使用して、その水平な包囲枠用差込み継手管部（１９）（１９）をプロペラ（１３）の回転平面（Ｘ−Ｘ）とほぼ同じ設置高さにある水平な包囲枠（Ｅ）へ通し込むと共に、その包囲枠（Ｅ）よりも一定の上下相互間隔距離（Ｈ）だけ高い位置にある水平なクロスビーム（１７）の両端部へ、残るクロスビーム用差込み継手管部（２０）（２０）を差し込み套嵌することにより、そのクロスビーム（１７）をやはりドローン（Ａ）のプロペラ（１３）と干渉しないように、そのプロペラ（１３）の回転平面（Ｘ−Ｘ）から上方へ退避させれば良い。
【００７７】
但し、第１三方管継手（１８Ｌ）（１８Ｒ）を上下の反転状態に使用して組み変える代りに、上記第１実施形態の飛行安全フレーム（Ｆ）をそのまま上下の反転状態として、図２から図１２のように取り付け使用することもできる。
【００７８】
そして、上記飛行安全フレーム（Ｆ）の包囲枠（Ｅ）をドローン（Ａ）における機体（１０）の放射方向へ張り出すアーム（１１）の先端部に取り付けるための放射アーム用挟持クランプ（Ｃ１）が、その包囲枠（Ｅ）の橋渡し状態に固定横架されている各クロスビーム（１７）の途中へ、摺動自在に差し込み套嵌され（通し込まれ）ており、その各クロスビーム（１７）に沿い上記挟持クランプ（Ｃ１）を摺動させて、上記アーム（１１）の張り出し先端部へ正しく対応位置するように調整セットできるようになっている。
【００７９】
その放射アーム用挟持クランプ（Ｃ１）は図１３〜１５に抽出して示すように、各クロスビーム（１７）への差込み継手管（２１）と、これから連続的に垂下するクランプ本体（２２）と、そのクランプ本体（２２）と凹凸嵌合する別個な台座（２３）とを備えており、そのクランプ本体（２２）と台座（２３）との凹凸嵌合によって、上記アーム（１１）の張り出し先端部を上下方向から挟持すると共に、その挟持状態を垂直の貫通ボルト（２４）とその締結ナット（２５）によって固定するようになっている。
【００８０】
図例の場合、各クロスビーム（１７）に差し込み套嵌された放射アーム用挟持クランプ（Ｃ１）を、ドローン（Ａ）の機体（１０）から放射方向へ張り出すアーム（１１）の先端部へ挟み付けるようになっているが、そのアーム（１１）における張り出し先端部の上面又は下面には、図３〜６から示唆されるように、プロペラ（１３）を回転駆動するモーター（図示省略）のカバーケース（１４）が存在するため、上記放射アーム用挟持クランプ（Ｃ１）をカバーケース用挟持クランプ（Ｃ１）に代えて、そのカバーケース用挟持クランプ（Ｃ１）をドローン（Ａ）側の上記カバーケース（１４）へ横方向から挟み付けるように設定しても良い。
【００８１】
次に、図１６、１７は本発明の第２実施形態を示しており、この飛行安全フレーム（Ｆ）では上記第１実施形態の構成に加えて、その包囲枠（Ｅ）の途中へドローン（Ａ）を上方から覆うことができる屋根枠（Ｒ）を組み付けている。その図例の包囲枠（Ｅ）は平面視の円形（リング状）をなしているが、図１のような平面視の正多角形に造形されることもある。
【００８２】
屋根枠（Ｒ）は適当な複数本づつの上記直管（Ｓｍ）と曲管（Ｃｍ）とから図７〜９と同様にして、その各直管（Ｓｍ）と各曲管（Ｃｍ）との抜き差し可能な差し込み一本化により、平面視の全体的な放射対称型（図例では十文字形）で、且つ側面視のアーチ形に組み立てられている。
【００８３】
図１８はそのための第１四方（十文字形）管継手（２６）を示しており、これが屋根枠（Ｒ）の頂点部（中央部）へ水平設置状態に使用されて、その直管（Ｓｍ）同士を平面交叉（直交）状態に組み立て固定する。
【００８４】
（２７）は屋根枠（Ｒ）の下端部を上記包囲枠（Ｅ）の途中へ組み付けるための第２三方（Ｔ字形）管継手であり、倒立Ｔ字形の設置使用状態として、その水平な差込み継手管部（２８）が包囲枠（Ｅ）へ通し込まれると共に、残る垂直な差込み継手管部（２９）が上記屋根枠（Ｒ）の下端部へ差し込み套嵌される。
【００８５】
その場合、包囲枠（Ｅ）に組み付けられた屋根枠（Ｒ）は、飛行安全フレーム（Ｆ）を持ち運ぶ時の把手としても利用することができる。その包囲枠（Ｅ）と屋根枠（Ｒ）を骨組として、カバーネット（３０）を図２０のような包囲状態に張り付けることにより、手指がドローン（Ａ）の高速回転するプロペラ（１３）に触れる危険を予防することが望ましい。
【００８６】
また、図２１は本発明の第３実施形態を示しており、この飛行安全フレーム（Ｆ）では上記包囲枠を側面視のほぼ平行な上段包囲枠（Ｅ１）と下段包囲枠（Ｅ２）との一対（二段）として、その何れも平面視の同じ円形又は各コーナー部が円弧状をなす平面視の同じ正多角形に造形している。（３１）はその両包囲枠（Ｅ１）（Ｅ２）の上下相互間に介挿固定された複数本のスペーサーである。
【００８７】
そして、その互いに同じ大きさの水平な上段包囲枠（Ｅ１）と水平な下段包囲枠（Ｅ２）との相互間を、横方向からプロペラ（１３）を包囲する一定帯幅（Ｗ）のフラットな壁面として機能させるようになっている。プロペラ（１３）の回転平面（Ｘ−Ｘ）を上記上段包囲枠（Ｅ１）と下段包囲枠（Ｅ２）によって上下方向から挟む如く、そのプロペラ（１３）をますます広幅に被覆（防護）することができるようになっているのである。
【００８８】
しかも、上記下段包囲枠（Ｅ２）の途中に水平なクロスビーム（１７）の複数本が、その全体的な放射対称型として分布する橋渡し状態に組み付けられている。その各クロスビーム（１７）の両端部を下段包囲枠（Ｅ２）へ組み付ける左右一対の第３三方管継手（３２）は、上記第１実施形態において説示した第１三方管継手（１８Ｌ）（１８Ｒ）と同じく平面視のほぼレ字形又はイ字形をなすが、その特殊な第１三方管継手（１８Ｌ）（１８Ｒ）と異なって、図２３に抽出して示す如く、包囲枠用差込み継手管部（３３）とクロスビーム用差込み継手管部（３４）とは互いに同じ設置平面にあり、そのためその左右一対の区別なく兼用することができる。
【００８９】
その場合、図例ではクロスビーム（１７）を下段包囲枠（Ｅ２）へ組み付けているが、図１２の変形実施形態に準じて、機体（１０）から張り出すアーム（１１）の下面にプロペラ（１３）が設置されるタイプのドローン（Ａ）にあっては、上段包囲枠（Ｅ１）へクロスビーム（１７）を組み付けても良く、またその組み付ける代りに、上記第３実施形態の飛行安全フレーム（Ｆ）を言わば上下の反転状態として、ドローン（Ａ）へ取り付け使用しても良い。
【００９０】
図２４、２５は本発明の第４実施形態を示しており、この飛行安全フレーム（Ｆ）では上記第３実施形態の構成に加えて、その上段包囲枠（Ｅ１）並びに下段包囲枠（Ｅ２）の互いに同じ途中へ、平面視の全体的な放射対称型（図例では十文字形）で且つ側面視のアーチ形をなす屋根枠（Ｒ）の下端部を組み付けている。
【００９１】
その屋根枠（Ｒ）の下端部は垂直の設置状態に使用される図１８の上記第１四方（十文字形）管継手（２６）を介して、上段包囲枠（Ｅ１）の途中へ組み付けられていると共に、倒立Ｔ字形の設置状態に使用される図１９の上記第２三方管継手（２７）を介して、下段包囲枠（Ｅ２）の途中へ組み付けられている。そのため、上下一対（二段）の包囲枠（Ｅ１）（Ｅ２）と屋根枠（Ｒ）とを強固に安定良く枠組み一体化することができる。
【００９２】
但し、屋根枠（Ｒ）の下端部は上段包囲枠（Ｅ１）のみの途中へ、上記第２三方（Ｔ字形）管継手（２７）を介して組み付けるだけにとどめてもさしつかえない。
【００９３】
尚、上記第４実施形態の飛行安全フレーム（Ｆ）でも屋根枠（Ｒ）が架構されているため、図２０の形態に準じて、その屋根枠（Ｒ）と上段包囲枠（Ｅ１）並びに下段包囲枠（Ｅ２）の全体へ、図２４、２５のようにカバーネット（３０）を張り付けることができる。
【００９４】
更に、図２６、２７は本発明の第５実施形態を示しており、この飛行安全フレーム（Ｆ）では上記第３実施形態の構成に加えて、ドローン（Ａ）の接地脚（１２）に向かって斜め下方へ張り出す支持脚（３５）の上端部を、その下段包囲枠（Ｅ２）の途中に組み付けている。
【００９５】
その場合、支持脚（３５）の上端部と上記クロスビーム（１７）の両端部とを共通する下段包囲枠（Ｅ２）の別異な途中へ、互いに同じ図２３のような第３三方管継手（３２）を用いて、各々組み付けてもさしつかえないが、図２８（イ）（ロ）に抽出して示す左右一対（左勝手用と右勝手用）の特殊な第２四方管継手（３６Ｌ）（３６Ｒ）を用いて、上記支持脚（３５）の上端部とクロスビーム（１７）の両端部とを一緒に下段包囲枠（Ｅ２）の途中へ組み付けることが好ましい。
【００９６】
つまり、その特殊な第２四方管継手（３６Ｌ）（３６Ｒ）の長い包囲枠用差込み継手管部（３７）を水平な下段包囲枠（Ｅ２）へ通し込むと共に、その包囲枠用差込み継手管部（３７）の一端からほぼレ字形の平面交叉状態に張り出す水平なクロスビーム用差込み継手管部（３８）を、クロスビーム（１７）の両端部へ差し込み套嵌する一方、同じく包囲枠用差込み継手管部（３７）の他端から斜め下向きに張り出す支持脚用差込み継手管部（３９）を、支持脚（３５）の上端部へ差し込み套嵌するのであり、これによれば組立状態の強度と安定性が向上する。
【００９７】
各支持脚（３５）も１本の上記直管（Ｓｍ）から成り、その張り出し先端部（下端部）にはドローン（Ａ）の接地脚（１２）へ取り付けるための接地脚用挟持クランプ（Ｃ２）が差し込み固定されている。
【００９８】
その接地脚用挟持クランプ（Ｃ２）は図２９〜３１に示すように、上記支持脚（３５）への差込み継手管部（４０）と、その下端部から連続的に張り出すクランプ本体（４１）と、これと向かい合う別個な押圧板（４２）とを備え、その押圧板（４２）とクランプ本体（４１）によってドローン（Ａ）の接地脚（１２）を横方向から挟持し、その挟持状態を一対の平行な貫通ボルト（４３）とその締結ナット（４４）によって固定するようになっている。
【００９９】
上記の各支持脚（３５）となる直管（Ｓｍ）は既述のとおり、その端部から突出する細い差込み継手管（１５）を具備していないため、その上端部へ上記第３三方管継手（３２）やこれに代る特殊な第２四方管継手（３６Ｌ）（３６Ｒ）の支持脚用差込み継手管部（３９）を支障なく正確に差し込み套嵌することができる。
【０１００】
更に、図２４、２５の第４実施形態と図２６、２７の第５実施形態では、プロペラ（１３）がアーム（１１）の上面に設置されたドローン（Ａ）である関係上、そのアーム（１１）の先端部に取り付けられる上記挟持クランプ（Ｃ１）が付属するクロスビーム（１７）を、下段包囲枠（Ｅ２）への橋渡し状態に固定横架させているが、上記プロペラ（１３）がアーム（１１）の下面に設置されるタイプのドローン（Ａ）である場合には、上記クロスビーム（１７）を上段包囲枠（Ｅ１）への橋渡し状態に固定横架させても良い。
【０１０１】
要すれば、上記クロスビーム（１７）をドローン（Ａ）のプロペラ（１３）と干渉しない高さ位置に保つ趣旨である。
【０１０２】
尚、図１６〜３１の第２〜５実施形態におけるその他の構成は、図１〜１５の上記第１実施形態と実質的に同じであるため、その図１６〜３１に図１〜１５と同じ符号を記入するにとどめて、その詳細な説明を省略する。
【０１０３】
何れにしても、上記包囲枠（Ｅ）（Ｅ１）（Ｅ２）やクロスビーム（１７）、屋根枠（Ｒ）並びに支持脚（３５）は既述のとおり、炭素繊維強化プラスチック材やガラス繊維強化プラスチック材、その両繊維強化プラスチックのハイブリッド材、その他の各種繊維強化プラスチック材の直管（Ｓｍ）又は／及び曲管（Ｃｍ）から、その抜き差し自在の差し込み一本化によって組み立てられているが、上記スペーサー（３１）や各種管継手（１８ｌ）（１８Ｒ）（２６）（２７）（３２）（３６Ｌ）（３６Ｒ）、放射アーム用／カバーケース用挟持クランプ（Ｃ１）並びに接地脚用挟持クランプ（Ｃ２）は、上記の各種繊維強化プラスチック材から作成する方法だけでなく、その代りにＡＢＳ樹脂やポリカーボネート樹脂、ポリアセタール樹脂、その他の耐衝撃性がある硬質な合成樹脂（エンジニアリングプラスチックを含む。）、特に好ましくはＡＢＳ樹脂から作成することができる。
【０１０４】
本発明に係るドローン用飛行安全フレーム（Ｆ）の組立方法を、図１，２の第１実施形態に基いて説明すると、その組立に当っては上記炭素繊維強化プラスチック材、ガラス繊維強化プラスチック材又はその両繊維強化プラスチックのハイブリッド材から成る長さ（Ｌ１）が同じ複数本の直管（Ｓｍ）と、同じく長さ（Ｌ２）が同じ複数本の曲管（Ｃｍ）とを用意しておき、その直管（Ｓｍ）と曲管（Ｃｍ）とを交互して、その端部同士の抜き差し自在に差し込み一本化することにより、各コーナー部が曲管（Ｃｍ）での円弧状をなす平面視の正多角形（図例では正方形）な包囲枠（Ｅ）に組み立てる。
【０１０５】
この点、図例では曲管（Ｃｍ）の両端部に予じめ細い差込み継手管（１５）が接着一体化されているため、その曲管（Ｃｍ）側から突出する差込み継手管（１５）と、隣り合うう直管（Ｓｍ）の端部とを抜き差し自在に差し込み嵌合すると共に、その嵌合部（連結部）へ抜け止めピン（ロールピン／ノックピン）（１６）を貫通させるのである。
【０１０６】
他方、上記直管（Ｓｍ）を正多角形な包囲枠（Ｅ）の各コーナー補強ブレースになるクロスビーム（１７）として、ドローン（Ａ）における機体（１０）の放射方向へ張り出すアーム（１１）の先端部又はその先端部に存在するプロペラ回転駆動モーター用カバーケース（１４）への取り付け用となる別個な挟持クランプ（Ｃ１）を、そのクロスビーム（１７）の１本づつへ摺動自在に差し込み套嵌する（通し込む）。
【０１０７】
そして、その各クロスビーム（１７）の両端部を上記包囲枠（Ｅ）の途中へ、各々抜き差し可能なＡＢＳ樹脂などの硬質プラスチック材から成る管継手（図例では特殊な第１三方管継手）（１８Ｌ）（１８Ｒ）を介して、そのクロスビーム（１７）が包囲枠（Ｅ）の全体的な放射対称型に分布する水平な橋渡し状態となるように取り付け固定するのである。
【０１０８】
その場合、各クロスビーム（１７）の直管（Ｓｍ）は既述のとおり、その端部から突出する細い差込み継手管（１５）を具備していないため、その両端部へ上記特殊な第１三方管継手（１８Ｌ）（１８Ｒ）のクロスビーム用差込み継手管部（２０）（２０）を支障なく正確に差し込み套嵌することができる。
【０１０９】
特に、包囲枠（Ｅ）を形作る直管（Ｓｍ）と、クロスビーム（１７）になる直管（Ｓｍ）とを互いに同じ長さ（Ｌ１）として、その直管（Ｓｍ）の長さ（Ｌ１）だけを長短変化させれば、その包囲枠（Ｅ）における上記正多角形（図例では正方形）の大きさを大きく又は小さく調整することができ、ドローン（Ａ）の大きさ変化に便利良く対応し得ることとなる。
【０１１０】
また、図１と対応する図１０の変形実施形態に係る飛行安全フレーム（Ｆ）の組立方法を説明すると、その組立に当ってもやはり上記した各種繊維強化プラスチック材から長さ（Ｌ１）が同じ複数本の直管（Ｓｍ）と、同じく長さ（Ｌ２）が同じ複数本の曲管（Ｃｍ）とを用意しておき、その曲管（Ｃｍ）の隣り合う端部同士を抜き差し自在に差し込み一本化することにより、平面視の円形（リング状）な包囲枠（Ｅ）に組み立てる。
【０１１１】
この点、図例では既述のとおり、曲管（Ｃｍ）の一端部だけに予じめ細い差込み継手管（１５）が接着一体化されているため、その曲管（Ｃｍ）の一端部から突出する差込み継手管（１５）と、隣り合う曲管（Ｃｍ）の他端部とを抜き差し自在に差し込み嵌合すると共に、その嵌合部（連結部）へ抜け止めピン（ロールピン／ノックピン）（１６）を貫通させるのである。
【０１１２】
他方、上記直管（Ｓｍ）を円形な包囲枠（Ｅ）の部分補強ブレースになるクロスビーム（１７）として、やはりドローン（Ａ）における機体（１０）の放射方向へ張り出すアーム（１１）の先端部又はその先端部に存在するプロペラ回転駆動モーター用カバーケース（１４）への取り付け用となる別個な挟持クランプ（Ｃ１）を、そのクロスビーム（１７）の１本づつへ摺動自在に差し込み套嵌する（通し込む）。
【０１１３】
そして、その各クロスビーム（１７）の両端部を上記包囲枠（Ｅ）の途中へ、各々抜き差し可能なＡＢＳ樹脂などの硬質プラスチック材から成る管継手（図例では特殊な第１三方管継手）（１８Ｌ）（１８Ｒ）を介して、そのクロスビーム（１７）が包囲枠（Ｅ）の全体的な放射対称型に分布する水平な橋渡し状態となるように取り付け固定するのである。
【０１１４】
その場合、上記包囲枠（Ｅ）を形作る曲管（Ｃｍ）の長さ（Ｌ２）と、クロスビーム（１７）になる直管（Ｓｍ）の長さ（Ｌ１）とを各々長短変化させれば、その包囲枠（Ｅ）における円形の大きさを大きく又は小さく調整することができ、やはりドローン（Ａ）の大きさ変化に対する対応性が広がる。
【０１１５】
何れにしても、上記のように組み立てられた飛行安全フレーム（Ｆ）を、ドローン（Ａ）へ取り付け（後付け）使用するに当っては、その包囲枠（Ｅ）をドローン（Ａ）におけるプロペラ（１３）の全体的な包囲状態に臨ませて、平面視の正多角形をなす包囲枠（Ｅ）のコーナー補強ブレースとして機能する各クロスビーム（１７）か、又は平面視の円形をなす包囲枠（Ｅ）の部分補強ブレースとして機能する各クロスビーム（１７）上にある放射アーム用挟持クランプ（Ｃ１）を、その各クロスビーム（１７）に沿い摺動させて、ドローン（Ａ）の機体（１０）から放射方向へ張り出すアーム（１１）の先端部と対応合致するように位置決め調整し、そのアーム（１１）の先端部へ上記挟持クランプ（Ｃ１）を各々取り付け固定する。
【０１１６】
つまり、図１４、１５に抽出して示す如く、その放射アーム用挟持クランプ（Ｃ１）のクランプ本体（２２）と台座（２３）とを凹凸嵌合させて、上記アーム（１１）の先端部を上下方向から挟み付け、その挟持状態を貫通ボルト（２４）と締結ナット（２５）によって固定するのである。図１と図１０の符号（Ｐ１）はその点在分布する固定点を示しており、上記ドローン（Ａ）の機体（１０）から張り出すアーム（１１）の個数分に相当する複数個所（図例では４個所）において、ドローン（Ａ）へその飛行安全フレーム（Ｆ）が安定良く取り付け固定維持されることになる。
【０１１７】
尚、上記ドローン（Ａ）におけるアーム（１１）の先端部に代えて、その先端部に存在するプロペラ回転駆動モーター用カバーケース（１４）へ、そのカバーケース用挟持クランプ（Ｃ１）を取り付け固定した場合でも、その固定点（Ｐ１）は同様に点在分布する複数個所となり、やはり安定・確固な取付状態を得られるのである。
【０１１８】
殊更、図２６、２７の第５実施形態に示す如く、その飛行安全フレーム（Ｆ）における下段包囲枠（Ｅ２）の途中から斜め下方へ張り出す各支持脚（３５）の接地脚用挟持クランプ（Ｃ２）も、ドローン（Ａ）の接地脚（１２）へ取り付け固定する構成によれば、その複数個所（図例では４個所）での固定点（Ｐ２）も加わるため、そのドローン（Ａ）への取付状態をますます安定良く確固に保つことができる。
【０１１９】
何れにしても、上記飛行安全フレーム（Ｆ）の包囲枠（Ｅ）（Ｅ１）（Ｅ２）や屋根枠（Ｒ）は、直管（Ｓｍ）と曲管（Ｃｍ）とからや曲管（Ｃｍ）のみから抜き差し自在に差し込み一本化されることにより、ドローン（Ａ）を包囲するように組み立てられているため、万一その包囲枠（Ｅ）（Ｅ１）（Ｅ２）や屋根枠（Ｒ）が破損した場合には、その破損した部位の直管（Ｓｍ）又は／及び曲管（Ｃｍ）だけを新品と交換して、再度組み立て使用することができ、飛行安全フレーム（Ｆ）全体の交換を余儀なくされることはないので、使用上の利便性と量産性に優れる。
【０１２０】
また、上記飛行安全フレーム（Ｆ）を組み立てている包囲枠（Ｅ）（Ｅ１）（Ｅ２）やクロスビーム（１７）、屋根枠（Ｒ）、支持脚（３５）は、そのすべて軽く高強度な繊維強化プラスチック材の直管（Ｓｍ）と曲管（Ｃｍ）から成るため、ドローン（Ａ）に対していたずらに重くなる負荷を与えたり、大きな空気抵抗を与えたりすることがなく、長時間円滑に飛行させることができるのである。
【符号の説明】
【０１２１】
（１０）・機体
（１１）・アーム
（１２）・接地脚
（１３）・プロペラ
（１４）・カバーケース
（１５）・差込み継手管
（１６）・抜け止めピン（ロールピン）
（１７）・クロスビーム
（１８Ｌ）（１８Ｒ）・第１三方管継手
（１９）・包囲枠用差込み継手管部
（２０）・クロスビーム用差込み継手管部
（２１）・差込み継手管
（２２）・クランプ本体
（２３）・台座
（２４）・貫通ボルト
（２５）・締結ナット
（２６）・第１四方（十文字形）管継手
（２７）・第２三方（Ｔ字形）管継手
（２８）（２９）・差込み継手管部
（３０）・カバーネット
（３１）・スペーサー
（３２）・第３三方管継手
（３３）・包囲枠用差込み継手管部
（３４）・クロスビーム用差込み継手管部
（３５）・支持脚
（３６Ｌ）（３６Ｒ）・第２四方管継手
（３７）・包囲枠用差込み継手管部
（３８）・クロスビーム用差込み継手管部
（３９）・支持脚用差込み継手管部
（４０）・差込み継手管
（４１）・クランプ本体
（４２）・押圧板
（４３）・貫通ボルト
（４４）・締結ナット
（Ａ）・ドローン
（Ｃ１）・放射アーム用／カバーケース用挟持クランプ
（Ｃ２）・接地脚用挟持クランプ
（Ｅ）・包囲枠
（Ｅ１）・上段包囲枠
（Ｅ２）・下段包囲枠
（Ｆ）・飛行安全フレーム
（Ｒ）・屋根枠
（Ｃｍ）・曲管
（Ｓｍ）・直管
（Ｈ）・上下相互間隔距離
（Ｗ）・一定帯幅
（Ｘ−Ｘ）・プロペラの回転平面
【図１】
2019099087.tif 000003
【図２】
2019099087.tif 000004
【図３】
2019099087.tif 000005
【図４】
2019099087.tif 000006
【図５】
2019099087.tif 000007
【図６】
2019099087.tif 000008
【図７】
2019099087.tif 000009
【図８】
2019099087.tif 000010
【図９】
2019099087.tif 000011
【図１０】
2019099087.tif 000012
【図１１】
2019099087.tif 000013
【図１２】
2019099087.tif 000014
【図１３】
2019099087.tif 000015
【図１４】
2019099087.tif 000016
【図１５】
2019099087.tif 000017
【図１６】
2019099087.tif 000018
【図１７】
2019099087.tif 000019
【図１８】
2019099087.tif 000020
【図１９】
2019099087.tif 000021
【図２０】
2019099087.tif 000022
【図２１】
2019099087.tif 000023
【図２２】
2019099087.tif 000024
【図２３】
2019099087.tif 000025
【図２４】
2019099087.tif 000026
【図２５】
2019099087.tif 000027
【図２６】
2019099087.tif 000028
【図２７】
2019099087.tif 000029
【図２８】
2019099087.tif 000030
【図２９】
2019099087.tif 000031
【図３０】
2019099087.tif 000032
【図３１】
2019099087.tif 000033
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
ドローンが具備する複数のプロペラを横方向から全体的に包囲する平面視の円形又は各コーナー部が円弧状をなす平面視のほぼ正多角形な包囲枠と、
ドローンにおける機体の放射方向へ張り出すアームの先端部と接近するように、上記包囲枠の途中へ部分的な橋渡し状態に横架された複数本の水平なクロスビームと、
その各クロスビームへ摺動自在に差し込み套嵌された複数の挟持クランプとを備え、
上記包囲枠とクロスビームが炭素繊維強化プラスチック材やガラス繊維強化プラスチック材、その両繊維強化プラスチックのハイブリッド材、その他の軽く高強度な繊維強化プラスチック材の直管又は／及び曲管から成り、
上記挟持クランプがドローンにおけるアームの先端部又はその先端部に存在するプロペラの回転駆動モーター用カバーケースへ、着脱自在に取り付け固定使用されるように関係設定したことを特徴とするドローン用飛行安全フレーム。
【請求項２】
包囲枠を横方向から見て水平な一段として、プロペラの回転平面とほぼ同じ設置高さに保つと共に、
その包囲枠の途中へ両端部が取り付けられたクロスビームをプロペラと干渉しないように、その包囲枠から上方又は下方へ退避する高さ位置に横架させたことを特徴とする請求項１記載のドローン用飛行安全フレーム。
【請求項３】
ドローンを上方から覆う屋根枠を、平面視の全体的な放射対称型で且つ側面視のアーチ形に造形すると共に、
その屋根枠の下端部を包囲枠の途中へ組み付けたことを特徴とする請求項１記載のドローン用飛行安全フレーム。
【請求項４】
包囲枠とこれに組み付けられた屋根枠を骨組として、その全体へカバーネットを包囲状態に張り付けたことを特徴とする請求項３記載のドローン用飛行安全フレーム。
【請求項５】
包囲枠を横方向から見てほぼ平行な上下一対として、その何れも平面視の同じ円形又は各コーナー部が円弧状をなす平面視の同じ正多角形に造形すると共に、
その上段包囲枠と下段包囲枠との相互間を一定帯幅のフラットな壁面として、プロペラの回転領域を横方向から包囲したことを特徴とする請求項１記載のドローン用飛行安全フレーム。
【請求項６】
包囲枠を横方向から見てほぼ平行な上下一対として、その何れも平面視の同じ円形又は各コーナー部が円弧状をなす平面視の同じ正多角形に造形すると共に、
ドローンを上方から覆う屋根枠の下端部を、上段包囲枠のみの途中か又は上段包囲枠並びに下段包囲枠の途中へ組み付ける一方、
その上段包囲枠又は下段包囲枠の途中へ、複数本の水平なクロスビームを全体的な放射対称型として分布する橋渡し状態に組み付けたことを特徴とする請求項１記載のドローン用飛行安全フレーム。
【請求項７】
包囲枠を横方向から見てほぼ平行な上下一対として、その何れも平面視の同じ円形又は各コーナー部が円弧状をなす平面視の同じ正多角形に造形すると共に、
ドローンの接地脚に向かって張り出す支持脚の上端部を、上記下段包囲枠の途中へ組み付ける一方、
上記上段包囲枠又は下段包囲枠の途中へ、複数本の水平なクロスビームを全体的な放射対称型として分布する橋渡し状態に組み付けたこと特徴とする請求項１記載のドローン用飛行安全フレーム。
【請求項８】
包囲枠を繊維強化プラスチック材から成る複数本づつの直管と曲管とから、各コーナー部が円弧状をなす平面視の正多角形に組み立てると共に、
その包囲枠の各コーナー部へ管継手を介して橋渡し状態に固定横架された水平なクロスビームを、すべて上記直管から成る包囲枠用コーナー補強ブレースとして機能させたことを特徴とする請求項１記載のドローン用飛行安全フレーム。
【請求項９】
包囲枠を繊維強化プラスチック材から成る複数本の曲管のみから平面視の円形に組み立てると共に、
その包囲枠へ全体的な放射対称型に分布する橋渡し状態に固定横架された複数本の水平なクロスビームを、すべて上記直管から成る包囲枠用部分補強ブレースとして機能させたことを特徴とする請求項１記載のドローン用飛行安全フレーム。
【請求項１０】
請求項１に記載されたドローン用飛行安全フレームの組立方法であって、炭素繊維強化プラスチック材、ガラス繊維強化プラスチック材又はその両繊維強化プラスチックのハイブリッド材から成る長さが同じ複数本の直管と、同じく長さが同じ複数本の曲管とを用意して、
上記直管と曲管とを交互して、その端部同士の抜き差し自在に差し込み一本化することにより、各コーナー部が曲管での円弧状をなす平面視の正多角形な包囲枠に組み立てる一方、
上記直管を包囲枠の各コーナー補強ブレースになるクロスビームとして、ドローンにおける機体の放射方向へ張り出すアームの先端部又はその先端部に存在するプロペラ回転駆動モーター用カバーケースへの取り付け用となる別個な挟持クランプを、そのクロスビームの１本づつへ摺動自在に差し込み套嵌すると共に、
その各クロスビームの両端部を上記包囲枠の途中へ各々抜き差し可能な硬質プラスチック材の管継手を介して、そのクロスビームの全体的な放射対称型に分布する水平な橋渡し状態となるように取り付け固定することを特徴とするドローン用飛行安全フレームの組立方法。
【請求項１１】
包囲枠を形作る直管と、クロスビームになる直管とを互いに同じ長さとして、その直管の長さだけを長短変化させることにより、その包囲枠における正多角形の大きさを大小調整することを特徴とする請求項１０記載のドローン用飛行安全フレームの組立方法。
【請求項１２】
請求項１に記載されたドローン用飛行安全フレームの組立方法であって、炭素繊維強化プラスチック材、ガラス繊維強化プラスチック材又はその両繊維強化プラスチックのハイブリッド材から成る長さが同じ複数本の直管と、同じく長さが同じ複数本の曲管とを用意して、
上記曲管の隣り合う端部同士を抜き差し自在に差し込み一本化することにより、平面視の円形な包囲枠に組み立てる一方、
上記直管を包囲枠の部分補強ブレースになるクロスビームとして、ドローンにおける機体の放射方向へ張り出すアームの先端部又はその先端部に存在するプロペラ回転駆動モーター用カバーケースへの取り付け用となる別個な挟持クランプを、そのクロスビームの１本づつへ摺動自在に差し込み套嵌すると共に、
その各クロスビームの両端部を上記包囲枠の途中へ各々抜き差し可能な硬質プラスチック材の管継手を介して、そのクロスビームの全体的な放射対称型に分布する水平な橋渡し状態となるように取り付け固定することを特徴とするドローン用飛行安全フレームの組立方法。
【請求項１３】
包囲枠を形作る曲管の長さと、クロスビームになる直管の長さとを各々長短変化させることにより、その包囲枠における円形の大きさを大小調整することを特徴とする請求項１２記載のドローン用飛行安全フレームの組立方法。
【手続補正２】
【補正対象書類名】明細書
【補正対象項目名】００１２
【補正方法】変更
【補正の内容】
【００１２】
本発明はこのような課題の抜本的な解決を目的としており、その目的を達成するために、請求項１ではドローンが具備する複数のプロペラを横方向から全体的に包囲する平面視の円形又は各コーナー部が円弧状をなす平面視のほぼ正多角形な包囲枠と、ドローンにおける機体の放射方向へ張り出すアームの先端部と接近するように、上記包囲枠の途中へ部分的な橋渡し状態に横架された複数本の水平なクロスビームと、その各クロスビームへ摺動自在に差し込み套嵌された複数の挟持クランプとを備え、
【手続補正３】
【補正対象書類名】明細書
【補正対象項目名】００１３
【補正方法】変更
【補正の内容】
【００１３】
上記包囲枠とクロスビームが炭素繊維強化プラスチック材やガラス繊維強化プラスチック材、その両繊維強化プラスチックのハイブリッド材、その他の軽く高強度な繊維強化プラスチック材の直管又は／及び曲管から成り、
【手続補正４】
【補正対象書類名】明細書
【補正対象項目名】００１４
【補正方法】変更
【補正の内容】
【００１４】
上記挟持クランプがドローンにおけるアームの先端部又はその先端部に存在するプロペラの回転駆動モーター用カバーケースへ、着脱自在に取り付け固定使用されるように関係設定したことを特徴とする。
【手続補正５】
【補正対象書類名】明細書
【補正対象項目名】００３２
【補正方法】変更
【補正の内容】
【００３２】
他方、請求項１０では請求項１に記載されたドローン用飛行安全フレームの組立方法であって、炭素繊維強化プラスチック材、ガラス繊維強化プラスチック材又はその両繊維強化プラスチックのハイブリッド材から成る長さが同じ複数本の直管と、同じく長さが同じ複数本の曲管とを用意し、
【手続補正６】
【補正対象書類名】明細書
【補正対象項目名】００３３
【補正方法】変更
【補正の内容】
【００３３】
上記直管と曲管とを交互して、その端部同士の抜き差し自在に差し込み一本化することにより、各コーナー部が曲管での円弧状をなす平面視の正多角形な包囲枠に組み立てる一方、
【手続補正７】
【補正対象書類名】明細書
【補正対象項目名】００３４
【補正方法】変更
【補正の内容】
【００３４】
上記直管を包囲枠の各コーナー補強ブレースになるクロスビームとして、ドローンにおける機体の放射方向へ張り出すアームの先端部又はその先端部に存在するプロペラ回転駆動モーター用カバーケースへの取り付け用となる別個な挟持クランプを、そのクロスビームの１本づつへ摺動自在に差し込み套嵌すると共に、
【手続補正８】
【補正対象書類名】明細書
【補正対象項目名】００３５
【補正方法】変更
【補正の内容】
【００３５】
その各クロスビームの両端部を上記包囲枠の途中へ各々抜き差し可能な硬質プラスチック材の管継手を介して、そのクロスビームの全体的な放射対称型に分布する水平な橋渡し状態となるように取り付け固定することを特徴とする。
【手続補正９】
【補正対象書類名】明細書
【補正対象項目名】００３６
【補正方法】変更
【補正の内容】
【００３６】
請求項１１では包囲枠を形作る直管と、クロスビームになる直管とを互いに同じ長さとして、その長さだけを長短変化させることにより、その包囲枠における正多角形の大きさを大小調整することを特徴とする。
【手続補正１０】
【補正対象書類名】明細書
【補正対象項目名】００３７
【補正方法】変更
【補正の内容】
【００３７】
請求項１２では同じく請求項１に記載されたドローン用飛行安全フレームの組立方法であって、炭素繊維強化プラスチック材、ガラス繊維強化プラスチック材又はその両繊維強化プラスチックのハイブリッド材から成る長さが同じ複数本の直管と、同じく長さが同じ複数本の曲管とを用意し、
【手続補正１１】
【補正対象書類名】明細書
【補正対象項目名】００３８
【補正方法】変更
【補正の内容】
【００３８】
上記曲管の隣り合う端部同士を抜き差し自在に差し込み一本化することにより、平面視の円形な包囲枠に組み立てる一方、
【手続補正１２】
【補正対象書類名】明細書
【補正対象項目名】００３９
【補正方法】変更
【補正の内容】
【００３９】
上記直管を包囲枠の部分補強ブレースになるクロスビームとして、ドローンにおける機体の放射方向へ張り出すアームの先端部又はその先端部に存在するプロペラ回転駆動モーター用カバーケースへの取り付け用となる別個な挟持クランプを、そのクロスビームの１本づつへ摺動自在に差し込み套嵌すると共に、
【手続補正１３】
【補正対象書類名】明細書
【補正対象項目名】００４０
【補正方法】変更
【補正の内容】
【００４０】
その各クロスビームの両端部を上記包囲枠の途中へ各々抜き差し可能な硬質プラスチック材の管継手を介して、そのクロスビームの全体的な放射対称型に分布する水平な橋渡し状態となるように取り付け固定することを特徴とする。
【手続補正１４】
【補正対象書類名】明細書
【補正対象項目名】００４１
【補正方法】変更
【補正の内容】
【００４１】
更に、請求項１３では包囲枠を形作る曲管の長さと、クロスビームになる直管の長さとを各々長短変化させることにより、その包囲枠における円形の大きさを大小調整することを特徴とする。
【手続補正１５】
【補正対象書類名】明細書
【補正対象項目名】００４２
【補正方法】変更
【補正の内容】
【００４２】
請求項１の構成によれば、冒頭に述べた従来技術の課題をすべて解決できる効果がある。つまり、ドローンが具備する複数のプロペラをその全体よりも大きな包囲枠によって、横方向から包囲しているため、そのプロペラが建物の壁面や車両などの他物に衝突して破損したり、飛行練習場の囲いネットに絡らみ付いたり、逆にその他物を損傷したり、他人に危険を与えたりするおそれがなく、飛行上の防護効果（安全性）を確保することができる。
【手続補正１６】
【補正対象書類名】明細書
【補正対象項目名】００４３
【補正方法】変更
【補正の内容】
【００４３】
また、飛行安全フレームを形作っている上記包囲枠とクロスビームは、そのすべて軽く高強度な炭素繊維強化プラスチック材やガラス繊維強化プラスチック材などの繊維強化プラスチック材の、しかも直管と曲管から成るものであるため、ドローンの飛行上いたずらに重い負荷や大きな空気抵抗を与えることがなく、円滑に長時間飛行させることができる。
【手続補正１７】
【補正対象書類名】明細書
【補正対象項目名】００４４
【補正方法】変更
【補正の内容】
【００４４】
更に、複数本のクロスビームが包囲枠の途中へ橋渡し状態に横架されているため、これを包囲枠の部分補強ブレースとして、飛行安全フレームの優れた組立強度を得られる。
【手続補正１８】
【補正対象書類名】明細書
【補正対象項目名】００４５
【補正方法】変更
【補正の内容】
【００４５】
しかも、各クロスビームには放射アーム用又はカバーケース用の挟持クランプが、摺動自在に差し込み套嵌されているため、これをクロスビームに沿って摺動させることにより、ドローンの機体から張り出すアームの先端部に対応合致する位置決め調整状態として、飛行安全フレームをそのアームの先端部へ確実に取り付け固定することができる。
【手続補正１９】
【補正対象書類名】明細書
【補正対象項目名】００４６
【補正方法】変更
【補正の内容】
【００４６】
その場合、クロスビームは上記アームの個数分に相当する複数個所での点在分布状態に取り付け固定されるようになっているため、そのドローンへ上記挟持クランプを介して着脱自在に取り付け（後付け）使用される飛行安全フレームであるにも拘らず、その全体として安定・確固な取付状態に保たれ、風の影響を受けて振れ（揺れ）動いたり、撓み変形したりするおそれがなく、その意味でもバランス良く飛行させ得る効果がある。
【手続補正２０】
【補正対象書類名】明細書
【補正対象項目名】００５４
【補正方法】変更
【補正の内容】
【００５４】
請求項１０や請求項１２の構成によれば、その何れも炭素繊維強化プラスチック材、ガラス繊維強化プラスチック材又はその両繊維強化プラスチックのハイブリッド材から成る長さが同じ複数本の直管と、同じく長さが同じ複数本の曲管とを用意した上、請求項１０の組立方法ではその直管と曲管とを交互して、その端部同士の抜き差し自在に差し込み一本化することにより、各コーナー部が曲管での円弧状をなす平面視の正多角形な包囲枠に組み立てており、他方請求項１２の組立方法ではその曲管の隣り合う端部同士を抜き差し自在に差し込み一本化することにより、平面視の円形な包囲枠に組み立てている。
【手続補正２１】
【補正対象書類名】明細書
【補正対象項目名】００５５
【補正方法】変更
【補正の内容】
【００５５】
そして、請求項１０と請求項１２との何れにおいても、上記直管を包囲枠の部分的な補強ブレースになるクロスビームとして、その１本づつへドローンの放射アーム用又はカバーケース用挟持クランプを摺動自在に差し込み套嵌すると共に、その各クロスビームの両端部を硬質なプラスチック材の管継手を介して、上記包囲枠の途中へ平面視の全体的な放射対称型に分布する水平な橋渡し状態に取り付け固定するようになっている。
【手続補正２２】
【補正対象書類名】明細書
【補正対象項目名】００５６
【補正方法】変更
【補正の内容】
【００５６】
そのため、軽く高強度な材料の直管と曲管や、その曲管同士を抜き差し自在に差し込み一本化することにより、飛行安全フレームの包囲枠を容易に組み立てることができ、またその包囲枠へ１本づつの直管から成るクロスビームを、容易に正しく組み付けることができるのである。
【手続補正２３】
【補正対象書類名】明細書
【補正対象項目名】００５７
【補正方法】変更
【補正の内容】
【００５７】
更に、上記差し込み状態にある直管と曲管や、その曲管同士を抜き取ることにより、その飛行安全フレームを分解した状態として、小型コンパントに梱包・輸送することができ。
【手続補正２４】
【補正対象書類名】明細書
【補正対象項目名】００５８
【補正方法】変更
【補正の内容】
【００５８】
また、飛行安全フレームが破損したような場合、その破損した部位の直管や曲管だけを新品と取り替えれば良く、飛行安全フレームの全体を新品と交換する必要がないので、使用上の利便性や量産性に優れる。
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
ドローンが具備する複数のプロペラを横方向から全体的に包囲する平面視の円形又は各コーナー部が円弧状をなす平面視の正多角形な包囲枠と、
ドローンにおける機体の放射方向へ張り出すアームの先端部と接近するように、上記包囲枠の途中へ部分的な橋渡し状態に横架された複数本の水平なクロスビームと、
その各クロスビームへ摺動自在に差し込み套嵌された複数のクランプとを備え、
上記包囲枠とクロスビームが炭素繊維強化プラスチック材やガラス繊維強化プラスチック材、その両繊維強化プラスチックのハイブリッド材、その他の軽く高強度な繊維強化プラスチック材の直管又は／及び曲管から成り、
上記クランプがドローンにおけるアームの先端部又はその先端部に存在するプロペラの回転駆動モーター用カバーケースへ、着脱自在に取り付け固定使用されるように関係設定したことを特徴とするドローン用飛行安全フレーム。
【請求項２】
包囲枠を横方向から見て水平な一段として、プロペラの回転平面とほぼ同じ設置高さに保つと共に、
その包囲枠の途中へ両端部が取り付けられたクロスビームをプロペラと干渉しないように、その包囲枠から上方又は下方へ退避する高さ位置に横架させたことを特徴とする請求項１記載のドローン用飛行安全フレーム。
【請求項３】
ドローンを上方から覆う屋根枠を、平面視の全体的な放射対称型で且つ側面視のアーチ形に造形すると共に、
その屋根枠の下端部を包囲枠の途中へ組み付けたことを特徴とする請求項１記載のドローン用飛行安全フレーム。
【請求項４】
包囲枠とこれに組み付けられた屋根枠を骨組として、その全体へカバーネットを包囲状態に張り付けたことを特徴とする請求項３記載のドローン用飛行安全フレーム。
【請求項５】
包囲枠を横方向から見てほぼ平行な上下一対として、その何れも平面視の同じ円形又は各コーナー部が円弧状をなす平面視の同じ正多角形に造形すると共に、
その上段包囲枠と下段包囲枠との相互間を一定帯幅のフラットな壁面として、プロペラの回転領域を横方向から包囲したことを特徴とする請求項１記載のドローン用飛行安全フレーム。
【請求項６】
包囲枠を横方向から見てほぼ平行な上下一対として、その何れも平面視の同じ円形又は各コーナー部が円弧状をなす平面視の同じ正多角形に造形すると共に、
ドローンを上方から覆う屋根枠の下端部を、上段包囲枠のみの途中か又は上段包囲枠並びに下段包囲枠の途中へ組み付ける一方、
その上段包囲枠又は下段包囲枠の途中へ、複数本の水平なクロスビームを全体的な放射対称型として分布する橋渡し状態に組み付けたことを特徴とする請求項１記載のドローン用飛行安全フレーム。
【請求項７】
包囲枠を横方向から見てほぼ平行な上下一対として、その何れも平面視の同じ円形又は各コーナー部が円弧状をなす平面視の同じ正多角形に造形すると共に、
ドローンの接地脚に向かって張り出す支持脚の上端部を、上記下段包囲枠の途中へ組み付ける一方、
上記上段包囲枠又は下段包囲枠の途中へ、複数本の水平なクロスビームを全体的な放射対称型として分布する橋渡し状態に組み付けたこと特徴とする請求項１記載のドローン用飛行安全フレーム。
【請求項８】
包囲枠を繊維強化プラスチック材から成る複数本づつの直管と曲管とから、各コーナー部が円弧状をなす平面視の正多角形に組み立てると共に、
その包囲枠の各コーナー部へ管継手を介して橋渡し状態に固定横架された水平なクロスビームを、すべて上記直管から成る包囲枠用コーナー補強ブレースとして機能させたことを特徴とする請求項１記載のドローン用飛行安全フレーム。
【請求項９】
包囲枠を繊維強化プラスチック材から成る複数本の曲管のみから平面視の円形に組み立てると共に、
その包囲枠へ全体的な放射対称型に分布する橋渡し状態に固定横架された複数本の水平なクロスビームを、すべて上記直管から成る包囲枠用部分補強ブレースとして機能させたことを特徴とする請求項１記載のドローン用飛行安全フレーム。
【請求項１０】
請求項１に記載されたドローン用飛行安全フレームの組立方法であって、炭素繊維強化プラスチック材、ガラス繊維強化プラスチック材又はその両繊維強化プラスチックのハイブリッド材から成る長さが同じ複数本の直管と、同じく長さが同じ複数本の曲管とを用意して、
上記直管と曲管とを交互して、その端部同士の抜き差し自在に差し込み一本化することにより、各コーナー部が曲管での円弧状をなす平面視の正多角形な包囲枠に組み立てる一方、
上記直管を包囲枠の各コーナー補強ブレースになるクロスビームとして、ドローンにおける機体の放射方向へ張り出すアームの先端部又はその先端部に存在するプロペラ回転駆動モーター用カバーケースへの取り付け用となる別個なクランプを、そのクロスビームの１本づつへ摺動自在に差し込み套嵌すると共に、
その各クロスビームの両端部を上記包囲枠の途中へ各々抜き差し可能な硬質プラスチック材の管継手を介して、そのクロスビームの全体的な放射対称型に分布する水平な橋渡し状態となるように取り付け固定することを特徴とするドローン用飛行安全フレームの組立方法。
【請求項１１】
包囲枠を形作る直管と、クロスビームになる直管との長さだけを各々長短変化させることにより、同じ長さの曲管を使って、包囲枠における正多角形の大きさを大小調整することを特徴とする請求項１０記載のドローン用飛行安全フレームの組立方法。
【請求項１２】
請求項１に記載されたドローン用飛行安全フレームの組立方法であって、炭素繊維強化プラスチック材、ガラス繊維強化プラスチック材又はその両繊維強化プラスチックのハイブリッド材から成る長さが同じ複数本の直管と、同じく長さが同じ複数本の曲管とを用意して、
上記曲管の隣り合う端部同士を抜き差し自在に差し込み一本化することにより、平面視の円形な包囲枠に組み立てる一方、
上記直管を包囲枠の部分補強ブレースになるクロスビームとして、ドローンにおける機体の放射方向へ張り出すアームの先端部又はその先端部に存在するプロペラ回転駆動モーター用カバーケースへの取り付け用となる別個なクランプを、そのクロスビームの１本づつへ摺動自在に差し込み套嵌すると共に、
その各クロスビームの両端部を上記包囲枠の途中へ各々抜き差し可能な硬質プラスチック材の管継手を介して、そのクロスビームの全体的な放射対称型に分布する水平な橋渡し状態となるように取り付け固定することを特徴とするドローン用飛行安全フレームの組立方法。
【請求項１３】
包囲枠を形作る曲管の長さと、クロスビームになる直管の長さとを各々長短変化させることにより、その包囲枠における円形の大きさを大小調整することを特徴とする請求項１２記載のドローン用飛行安全フレームの組立方法。
【手続補正２】
【補正対象書類名】明細書
【補正対象項目名】００１２
【補正方法】変更
【補正の内容】
【００１２】
本発明はこのような課題の抜本的な解決を目的としており、その目的を達成するために、請求項１ではドローンが具備する複数のプロペラを横方向から全体的に包囲する平面視の円形又は各コーナー部が円弧状をなす平面視の正多角形な包囲枠と、ドローンにおける機体の放射方向へ張り出すアームの先端部と接近するように、上記包囲枠の途中へ部分的な橋渡し状態に横架された複数本の水平なクロスビームと、その各クロスビームへ摺動自在に差し込み套嵌された複数のクランプとを備え、
【手続補正３】
【補正対象書類名】明細書
【補正対象項目名】００１４
【補正方法】変更
【補正の内容】
【００１４】
上記クランプがドローンにおけるアームの先端部又はその先端部に存在するプロペラの回転駆動モーター用カバーケースへ、着脱自在に取り付け固定使用されるように関係設定したことを特徴とする。
【手続補正４】
【補正対象書類名】明細書
【補正対象項目名】００３４
【補正方法】変更
【補正の内容】
【００３４】
上記直管を包囲枠の各コーナー補強ブレースになるクロスビームとして、ドローンにおける機体の放射方向へ張り出すアームの先端部又はその先端部に存在するプロペラ回転駆動モーター用カバーケースへの取り付け用となる別個なクランプを、そのクロスビームの１本づつへ摺動自在に差し込み套嵌すると共に、
【手続補正５】
【補正対象書類名】明細書
【補正対象項目名】００３６
【補正方法】変更
【補正の内容】
【００３６】
請求項１１では包囲枠を形作る直管と、クロスビームになる直管との長さだけを各々長短変化させることにより、同じ長さの曲管を使って、包囲枠における正多角形の大きさを大小調整することを特徴とする。
【手続補正６】
【補正対象書類名】明細書
【補正対象項目名】００３９
【補正方法】変更
【補正の内容】
【００３９】
上記直管を包囲枠の部分補強ブレースになるクロスビームとして、ドローンにおける機体の放射方向へ張り出すアームの先端部又はその先端部に存在するプロペラ回転駆動モーター用カバーケースへの取り付け用となる別個なクランプを、そのクロスビームの１本づつへ摺動自在に差し込み套嵌すると共に、
【手続補正７】
【補正対象書類名】明細書
【補正対象項目名】００４５
【補正方法】変更
【補正の内容】
【００４５】
しかも、各クロスビームには放射アーム用又はカバーケース用のクランプが、摺動自在に差し込み套嵌されているため、これをクロスビームに沿って摺動させることにより、ドローンの機体から張り出すアームの先端部に対応合致する位置決め調整状態として、飛行安全フレームをそのアームの先端部へ容易・正確に取り付け固定することができる。
【手続補正８】
【補正対象書類名】明細書
【補正対象項目名】００４６
【補正方法】変更
【補正の内容】
【００４６】
その場合、クロスビームは上記アームの個数分に相当する複数個所での点在分布状態に取り付け固定されるようになっているため、そのドローンへ上記クランプを介して着脱自在に取り付け（後付け）使用される飛行安全フレームであるにも拘らず、その全体として安定・確固な取付状態に保たれ、風の影響を受けて振れ（揺れ）動いたり、撓み変形したりするおそれがなく、その意味でもバランス良く飛行させ得る効果がある。
【手続補正９】
【補正対象書類名】明細書
【補正対象項目名】００５５
【補正方法】変更
【補正の内容】
【００５５】
そして、請求項１０と請求項１２との何れにおいても、上記直管を包囲枠の部分的な補強ブレースになるクロスビームとして、その１本づつへドローンの放射アーム用又はカバーケース用クランプを摺動自在に差し込み套嵌すると共に、その各クロスビームの両端部を硬質なプラスチック材の管継手を介して、上記包囲枠の途中へ平面視の全体的な放射対称型に分布する水平な橋渡し状態に取り付け固定するようになっている。
【手続補正１０】
【補正対象書類名】明細書
【補正対象項目名】００５７
【補正方法】変更
【補正の内容】
【００５７】
更に、上記差し込み状態にある直管と曲管や、その曲管同士を抜き取ることにより、その飛行安全フレームを分解した状態として、小型コンパントに梱包・輸送することができる。
【手続補正１１】
【補正対象書類名】明細書
【補正対象項目名】００５９
【補正方法】変更
【補正の内容】
【００５９】
その場合、特に請求項１１や請求項１３の構成を採用するならば、同じ長さの曲管を使って、直管の長さだけを長短変化させることにより、平面視の正多角形に組み立てられた包囲枠の大きさを大きく又は小さく調整することや、直管の長さと曲管の長さとを長短変化させることにより、平面視の円形に組み立てられた包囲枠の大きさを大きく又は小さく調整することが可能となり、ドローンの大きさ変化に便利良く対応できる効果がある。
【手続補正１２】
【補正対象書類名】明細書
【補正対象項目名】０１０９
【補正方法】変更
【補正の内容】
【０１０９】
特に、包囲枠（Ｅ）を形作る直管（Ｓｍ）の長さ（Ｌ１）と、クロスビーム（１７）になる直管（Ｓｍ）の長さ（Ｌ２）とを各々長短変化させれば、同じ長さ（Ｌ２）の曲管（Ｃｍ）を使って（換言すれば曲管の長さは変えずに）、その包囲枠（Ｅ）における上記正多角形（図例では正方形）の大きさを大きく又は小さく調整することができ、ドローン（Ａ）の大きさ変化に便利良く対応し得ることとなる。
【手続補正書】
【提出日】平成30年4月18日(2018.4.18)
【手続補正１】
【補正対象書類名】特許請求の範囲
【補正対象項目名】請求項１
【補正方法】変更
【補正の内容】
【請求項１】
ドローンが具備する複数のプロペラを横方向から全体的に包囲する平面視の円形又は各コーナー部が円弧状をなす平面視の正多角形な包囲枠と、
ドローンにおける機体の放射方向へ張り出すアームの先端部と接近するように、上記包囲枠の途中へ部分的な橋渡し状態に横架された複数本の水平なクロスビームと、
その各クロスビームへ摺動自在に差し込み套嵌された複数のクランプとを備え、
上記包囲枠とクロスビームが炭素繊維強化プラスチック材やガラス繊維強化プラスチック材、その両繊維強化プラスチックのハイブリッド材、その他の軽く高強度な繊維強化プラスチック材の直管又は／及び曲管から成り、
上記クランプがドローンにおけるアームの先端部又はその先端部に存在するプロペラの回転駆動モーター用カバーケースへ、着脱自在に取り付け固定使用されるように定めたことを特徴とするドローン用飛行安全フレーム。
【手続補正２】
【補正対象書類名】明細書
【補正対象項目名】００１４
【補正方法】変更
【補正の内容】
【００１４】
上記クランプがドローンにおけるアームの先端部又はその先端部に存在するプロペラの回転駆動モーター用カバーケースへ、着脱自在に取り付け固定使用されるように定めたことを特徴とする。